(57)【要約】      （修正有）【課題】多種多様な支持ベース、例えばベース、吸盤、片持ち梁、ブラケット等と組み合わせることにより、異なる環境下において操作する必要を満足させるための挟持装置を提供する。【解決手段】本体１０と、該本体に可動的に設けられた縦方向挟持部材１１であって、その上に少なくとも一つの第１の斜め方向スライドレール１１２及び少なくとも一つの第２の斜め方向スライドレール１１３が設けられた縦方向挟持部材と、前記本体に可動的に設けられた第１の横方向挟持部材１２であって、その上に前記第１の斜め方向スライドレールに摺動可能に接続された少なくとも一つの第１の摺動部材１２２が設けられた第１の横方向挟持部材と、前記本体に可動的に設けられた第２の横方向挟持部材１３であって、その上に前記第２の斜め方向スライドレールに摺動可能に接続された少なくとも一つの第２の摺動部材１３２が設けられた第２の横方向挟持部材とを備える。【選択図】図２Ａ
0003165646.tif 000002
【実用新案登録請求の範囲】
【請求項１】
第１の位置決め柱、第２の位置決め柱、第３の位置決め柱が内部に設けられた本体と、
前記本体に可動的に設けられた縦方向挟持部材であって、その上に前記第１の位置決め柱に対応する縦方向スライドレール、少なくとも一つの第１の斜め方向スライドレール及び少なくとも一つの第２の斜め方向スライドレールが設けられた縦方向挟持部材と、
前記本体に可動的に設けられた第１の横方向挟持部材であって、その上に前記第２の位置決め柱に対応する第１の横方向スライドレール及び前記第１の斜め方向スライドレールに摺動可能に接続された少なくとも一つの第１の摺動部材が設けられた第１の横方向挟持部材と、
前記本体に可動的に設けられた第２の横方向挟持部材であって、その上に前記第３の位置決め柱に対応する第２の横方向スライドレール及び前記第２の斜め方向スライドレールに摺動可能に接続された少なくとも一つの第２の摺動部材が設けられた第２の横方向挟持部材と、
を備えることを特徴とする挟持装置。
【請求項２】
前記本体上に設けられた固定スイッチをさらに備えることを特徴とする請求項１に記載の挟持装置。
【請求項３】
前記本体には複数の突リブが設けられ、前記固定スイッチには前記それらの突リブに対応するバンプが設けられていることを特徴とする請求項２に記載の挟持装置。
【請求項４】
前記縦方向挟持部材の末端、前記第１の横方向挟持部材の末端及び前記第２の横方向挟持部材の末端には、それぞれ固定部が成形されていることを特徴とする請求項１に記載の挟持装置。
【請求項５】
前記本体上には支持ベースが接続されており、前記本体と前記支持ベースとの間には枢接部材が設けられていることを特徴とする請求項１に記載の挟持装置。
【請求項６】
本体と、
前記本体に可動的に設けられた縦方向挟持部材であって、その上に少なくとも一つの第１の斜め方向スライドレール及び少なくとも一つの第２の斜め方向スライドレールが設けられ、前記第１の縦方向挟持部材が前記本体に対して縦方向上に摺動する縦方向挟持部材と、
前記本体に可動的に設けられた第１の横方向挟持部材であって、その上に前記第１の斜め方向スライドレールに摺動可能に設けられた少なくとも一つの第１の摺動部材が設けられ、前記第１の横方向挟持部材が前記本体に対して横方向上に摺動する第１の横方向挟持部材と、
前記本体に可動的に設けられた第２の横方向挟持部材であって、その上に前記第２の斜め方向スライドレールに摺動可能に設けられた少なくとも一つの第２の摺動部材が設けられ、前記第２の横方向挟持部材が前記本体に対して横方向上に摺動する第２の横方向挟持部材と、を備え、
前記縦方向挟持部材が縦方向上に摺動する場合には、前記第１の横方向挟持部材及び前記第２の横方向挟持部材のそれぞれが、横方向上に逆方向へ摺動し、前記第１の横方向挟持部材が前記第２の横方向挟持部材に対して近接又は離間することにより、物品を挟持又は開放するようにすることを特徴とする挟持装置。
【考案の詳細な説明】
【技術分野】
【０００１】
本考案は、挟持装置に関し、特に寸法の異なる物品を挟着し固定するための挟持装置に関するものである。
【背景技術】
【０００２】
情報ハイテクの発達に伴い、画像を表示するためのディスプレイである電子製品は、その種類が多種多様になりつつあり、早期のブラウン管から、より軽薄な各種のパネルディスプレイ、例えば現在広汎に応用されている液晶ディスプレイに進んできている。
【０００３】
上述したディスプレイの応用によって、ユーザは、様々な視覚情報をリアルタイムに受信することができる。さらに、タッチパネルの発展によって、ユーザは、電子製品をより直感的に操作することができるようになっている。
【考案の概要】
【考案が解決しようとする課題】
【０００４】
一方、電子製品が携帯型の応用へと進んでいることから、ユーザは電子製品のディスプレイを手持ちで視認しなければならないことになる。このような不便を解決するために、従来では、固定式の支持ベースを利用して、ユーザが電子製品を上述支持ベース上に置いて、その表示画面を視認する。しかしながら、電子製品の多様化を考慮して、外観、寸法の設計上には極めて多くの変化があるため、従来の固定式の支持ベースは、使用上において様々な製品を満足させることができず、消費者を困らせることになる。
【０００５】
本願の考案者は、上述した従来の構造装置が実際に使用された場合の欠点に鑑み、産業開発に係る実務に関与した長年の経験を積み上げ、鋭意研究を重ねた結果、設計が合理で且つ上述した問題を効果的に改善した構造を提出するに至った。
【０００６】
そこで、本考案は、主に、寸法の多様化の物品、例えば電子製品等を挟持するための可動的な挟持部材の構成を有する挟持装置を提供することを課題とする。
【０００７】
また、本考案は、多種多様な支持ベース、例えばベース、吸盤、片持ち梁、ブラケット等と組み合わせることにより、異なる環境下において操作する必要を満足させるための挟持装置を提供することを課題とする。
【課題を解決するための手段】
【０００８】
上記の課題を解決するために、本考案に係る挟持装置は、第１の位置決め柱、第２の位置決め柱、第３の位置決め柱が内部に設けられた本体と、前記本体に可動的に設けられた縦方向挟持部材であって、その上に前記第１の位置決め柱に対応する縦方向スライドレール、少なくとも一つの第１の斜め方向スライドレール及び少なくとも一つの第２の斜め方向スライドレールが設けられた縦方向挟持部材と、前記本体に可動的に設けられた第１の横方向挟持部材であって、その上に前記第２の位置決め柱に対応する第１の横方向スライドレール及び前記第１の斜め方向スライドレールに摺動可能に接続された少なくとも一つの第１の摺動部材が設けられた第１の横方向挟持部材と、前記本体に可動的に設けられた第２の横方向挟持部材であって、その上に前記第３の位置決め柱に対応する第２の横方向スライドレール及び前記第２の斜め方向スライドレールに摺動可能に接続された少なくとも一つの第２の摺動部材が設けられた第２の横方向挟持部材と、を備えることを特徴とする挟持装置が提供される。
【０００９】
また、本考案に係る挟持装置は、本体と、前記本体に可動的に設けられた縦方向挟持部材であって、その上に少なくとも一つの第１の斜め方向スライドレール及び少なくとも一つの第２の斜め方向スライドレールが設けられ、前記第１の縦方向挟持部材が前記本体に対して縦方向上に摺動する縦方向挟持部材と、前記本体に可動的に設けられた第１の横方向挟持部材であって、その上に前記第１の斜め方向スライドレールに摺動可能に設けられた少なくとも一つの第１の摺動部材が設けられ、前記第１の横方向挟持部材が前記本体に対して横方向上に摺動する第１の横方向挟持部材と、前記本体に可動的に設けられた第２の横方向挟持部材であって、その上に前記第２の斜め方向スライドレールに摺動可能に設けられた少なくとも一つの第２の摺動部材が設けられ、前記第２の横方向挟持部材が前記本体に対して横方向上に摺動する第２の横方向挟持部材と、を備え、前記縦方向挟持部材が縦方向上に摺動する場合には、前記第１の横方向挟持部材及び前記第２の横方向挟持部材のそれぞれが、横方向上に逆方向へ摺動し、前記第１の横方向挟持部材が前記第２の横方向挟持部材に対して近接又は離間することにより、物品を挟持又は開放するようにすることを特徴とする挟持装置が提供される。
【００１０】
上述した構造によれば、この挟持装置は、対応する２つの横方向挟持部材を近接又は離間させるように縦方向挟持部材の摺動により同時に駆動する位置変化を利用することができるため、寸法の異なる物品を挟着することが可能となる。
【００１１】
本考案の特徴及び技術内容がより明瞭になるように、本考案に係る下記の詳細な説明及び図面を参照して説明するが、これらの図面は参考及び説明のためのものであり、本考案を限定するためのものではない。
【図面の簡単な説明】
【００１２】
【図１Ａ】本考案に係る挟持装置の模式図である。
【図１Ｂ】本考案に係る挟持装置を他の視角から見た模式図である。
【図１Ｃ】図１Ｂの分解組み付け図である。
【図２Ａ】本考案に係る挟持装置が物品を挟持していない状態の分解図である。
【図２Ｂ】本考案に係る挟持装置が物品を挟持している状態の分解図である。
【図３Ａ】本考案に係る挟持装置を支持ベースに取り付けることによりその角度を調整する模式図である。
【図３Ｂ】本考案に係る挟持装置を支持ベースに取り付けることによりその角度を調整する模式図である。
【考案を実施するための形態】
【００１３】
本考案は、物品、例えば電子製品である携帯通信装置、電子ブック等を挟着固定するための挟持装置であって、寸法の異なる電子製品に適用するための調整可能式固定挟持装置である。
【００１４】
図１Ａ〜図１Ｂを参照して、本考案に係る挟持装置１は、本体１０と、縦方向挟持部材１１と、第１の横方向挟持部材１２、第２の横方向挟持部材１３とを備え、本体１０はケース体であり、例えば前蓋部材１０１と後蓋部材１０２とからなり、該本体には収容空間が形成され、縦方向挟持部材１１、第１の横方向挟持部材１２及び第２の横方向挟持部材１３はいずれも本体１０の周縁から突出して外部まで延在している。さらに、図２Ａを参照して、該本体１０には、第１の位置決め柱１０３、第２の位置決め柱１０４、及び第３の位置決め柱１０５が設けられており、これらの位置決め柱によって、縦方向挟持部材１１、第１の横方向挟持部材１２及び第２の横方向挟持部材１３の摺動位置を制限するとともに、縦方向挟持部材１１、第１の横方向挟持部材１２及び第２の横方向挟持部材１３を支持するための力を提供することができる。
【００１５】
図２Ａを図２Ｂと合わせながら参照して、縦方向挟持部材１１は、該本体１０に可動的に設けられている。具体的には、縦方向挟持部材１１には、該第１の位置決め柱１０３に対応する縦方向スライドレール１１１が設けられ、該縦方向挟持部材１１がスライドレール１１１と第１の位置決め柱１０３との組み合わせにより該本体１０に対して縦方向に摺動することができる。一つの例として、スライドレール１１１の最下端が第１の位置決め柱１０３に当接した場合は、縦方向挟持部材１１が第１の位置に位置することとなる（図２Ａ参照）。スライドレール１１１の最上端が第１の位置決め柱１０３に当接した場合は、縦方向挟持部材１１が第２の位置に位置することとなる（図２Ｂ参照）。つまり、縦方向挟持部材１１が縦方向上の第１の位置と第２の位置との間に摺動する。
【００１６】
さらに、該縦方向挟持部材１１には、少なくとも一つの第１の斜め方向スライドレール１１２及び少なくとも一つの第２の斜め方向スライドレール１１３が設けられている。該第１の斜め方向スライドレール１１２及び該第２の斜め方向スライドレール１１３は、実質的には第１の横方向挟持部材１２及び第２の横方向挟持部材１３を縦方向挟持部材１１に連動させるためのものであり、これらの三者の作動関係については後述する。該第１の斜め方向スライドレール１１２及び該第２の斜め方向スライドレール１１３の位置関係は、ほぼ逆Ｖ形となっているが、両者が互いに接続されていない。この具体的な実施例において、該縦方向挟持部材１１には、２つの第１の斜め方向スライドレール１１２及び２つの第２の斜め方向スライドレール１１３がそれぞれ設けられている。
【００１７】
第１の横方向挟持部材１２は、該本体１０に可動的に設けられている。具体的には、第１の横方向挟持部材１２には、該第２の位置決め柱１０４に対応する第１の横方向スライドレール１２１が設けられ、該第１の横方向挟持部材１２が第１の横方向スライドレール１２１と第２の位置決め柱１０４との組み合わせにより該本体１０に対して横方向に摺動することができる。また、第１の横方向挟持部材１２には、少なくとも該第１の斜め方向スライドレール１１２に摺動可能に設けられた第１の摺動部材１２２が設けられている。この具体的な実施例において、第１の横方向挟持部材１２は、上述した２つの第１の斜め方向スライドレール１１２に対応するための第１の摺動部材１２２を有している。
【００１８】
第１の横方向挟持部材１２と同様に、第２の横方向挟持部材１３は、該本体１０に可動的に設けられている。具体的には、第２の横方向挟持部材１３には、該第３の位置決め柱１０５に対応する第２の横方向スライドレール１３１が設けられ、該第２の横方向挟持部材１２が第２の横方向スライドレール１３１と第３の位置決め柱１０５との組み合わせにより該本体１０に対して横方向に摺動することができる。また、第２の横方向挟持部材１３には、少なくとも該第２の斜め方向スライドレール１１３に摺動可能に設けられた第２の摺動部材１３２が設けられている。この具体的な実施例において、第２の横方向挟持部材１３は、上述した２つの第２の斜め方向スライドレール１１３に対応するための第２の摺動部材１３２を有している。
【００１９】
図２Ａを参照して、上述した縦方向挟持部材１１は、縦方向位置の第１の位置に位置し、第１の横方向挟持部材１２と第２の横方向挟持部材１３とは、互いに離間し、開放態様に形成される。図２Ｂを参照して、物品を本考案に係る挟持装置１に入れた場合は、物品（図示せず）の置き入れによって、上述した縦方向挟持部材１１が下へ移動することで、縦方向挟持部材１１が縦方向位置の第２の位置に位置することとなる。縦方向挟持部材１１が下へ移動する過程において、第１の摺動部材１２２と第１の斜め方向スライドレール１１２、及び第２の摺動部材１３２と第２の斜め方向スライドレール１１３との組み合わせにより、第１の横方向挟持部材１２及び第２の横方向挟持部材１３を逆方向（即ち本体１０の内部へ向ける方向）へ同時に摺動させ、互いに近接させることができるため、第１の横方向挟持部材１２及び第２の横方向挟持部材１３が挟持位置に位置することとなり、上述した入れられた物品を挟着固定することができる。挟着位置の挟着幅は、入れられた物品の寸法に従い、物品の寸法や幅に応じて適宜に調整すればよい。
【００２０】
これに対して、本考案に係る挟持装置１に入れられた物品を取り外そうとする場合は、第２の位置に位置した縦方向挟持部材１１に力を付与し、縦方向挟持部材１１を縦方向に上へ摺動させる。第１の摺動部材１２２と第１の斜め方向スライドレール１１２、及び第２の摺動部材１３２と第２の斜め方向スライドレール１１３との組み合わせにより、第１の横方向挟持部材１２及び第２の横方向挟持部材１３を逆方向（即ち本体１０より離間する方向）に向けて摺動させ、互いに離間させることができるため、第１の横方向挟持部材１２及び第２の横方向挟持部材１３が開放位置に位置することとなり、ユーザは、本考案に係る挟持装置１に入れられた物品を取り出すことができる。
【００２１】
従って、本考案は、異なった寸法の物品の挟着に適用可能であり、使用上には便利になる効果がある。物品が挟持装置１に入れられた場合は、縦方向挟持部材１１を縦方向に上から下へ摺動させ、第１の横方向挟持部材１２及び第２の横方向挟持部材１３をそれぞれ横方向に逆方向（第１の横方向挟持部材１２が右へ移動するが、第２の横方向挟持部材１３が左へ移動する）へ摺動させるように同時に駆動させ、互いに近接させることで、物品を挟着することができるようになる。物品を取り外そうとする場合は、縦方向挟持部材１１を縦方向に下から上へ摺動させ、第１の横方向挟持部材１２及び第２の横方向挟持部材１３をそれぞれ横方向に逆方向（第１の横方向挟持部材１２が左へ移動するが、第２の横方向挟持部材１３が右へ移動する）へ摺動させるように同時に駆動させ、互いに離間させることで、物品を開放することができるようになる。
【００２２】
一方、図１Ｃを参照して、挟持装置１は、該本体１０に設けられた固定スイッチ１４をさらに備える。ユーザは、該固定スイッチ１４を捩ることにより、該縦方向挟持部材１１を固定／開放することができる。該固定スイッチ１４は、本体１０に回動可能に枢接されている。本体１０の上には突リブ１０２２が設けられ、固定スイッチ１４には突リブ１０２２に対応するバンプ１４１が設けられ、突リブ１０２２とバンプ１４１との組み合わせにより該縦方向挟持部材１１を押し付ける。この具体的な実施例において、該固定スイッチ１４は、後蓋部材１０２の枢柱１０２１に回動可能に枢接され、後蓋部材１０２の上には、枢柱１０２１の両側に位置した突リブ１０２２がさらに形成されている。固定スイッチ１４の上には、突リブ１０２２に対応するバンプ１４１が設けられ、該バンプ１４１が斜面を有するのが好ましい。従って、異なった寸法の物品を挟持装置１に入れようとする場合は、縦方向挟持部材１１を縦方向に上から下へ摺動させ、第１の横方向挟持部材１２及び第２の横方向挟持部材１３をそれぞれ横方向に逆方向へ摺動させるように同時に駆動させ、互いに近接させることで、物品を挟着することができるとともに、ユーザは、該固定スイッチ１４を左又は右へ捻って回転させ、バンプ１４１を突リブ１０２２まで上昇させ、バンプ１４１及び突リブ１０２２の厚さが該縦方向挟持部材１１を押し付けることにより、位置決められる。これに対して、ユーザは、該固定スイッチ１４を回転させ、バンプ１４１及び突リブ１０２２を初期の位置ずれ状態に回復させることにより、上述した縦方向挟持部材１１を開放し、挟着された物品を取り出すことができる。
さらに、より好ましい固定効果を図るために、該縦方向挟持部材１１の末端には固定部１１４が形成され、該第１の横方向挟持部材１２の末端には固定部１２３が形成され、該第２の横方向挟持部材１３の末端には固定部１３３が形成されている。この固定部１１４、１２３、１３３は、折り曲げ成形の固定脚であってもよいが、これに限定されるものではない。さらに、該固定脚の上には、該挟持装置１によって挟着された物品を保護するための保護部材１５、例えばシリコンカバー等がさらに嵌設されている。
【００２３】
一方、電子製品が本考案に係る挟持装置１に挟着された場合は、電源の投入、さまざまな電気接続プラグ又は電子カード等が必要であることを考慮して、上述した縦方向挟持部材１１の末端、該第１の横方向挟持部材１２の末端、及び第２の横方向挟持部材１３の末端の少なくとも一方には、電子製品のアダプター（図示せず）を露出させるための端子挿入孔１６が形成されている。例えば、この具体的な実施例において、端子挿入孔１６は、第１の横方向挟持部材１２の末端にある２つの固定脚の間に形成されるが、本考案は、上述した端子挿入孔１６の形態、数量又は位置を限定するものではなく、実際の製品に応じて変更可能である。
【００２４】
さらに、図３を参考して、本考案に係る挟持装置１は、さらに、支持ベース２０に接続されてもよい。この具体的な実施例において、支持ベース２０は、該本体１０に接続され、例えば本体１０の後蓋部材１０２に枢接され、該本体１０と該支持ベース２０との間には枢接部材２１が設けられてもよく、ユーザは、枢接部材２１により挟持装置１に挟着された物品を多軸方向に調整することができ、例えば、電子製品の表示ディスプレイを好ましい視認角度（図３Ａに前後軸方向の回動、図３Ｂに左右軸方向の回動をそれぞれ示す）へ向ける。ここで注意すべき点は、図３Ａ及び図３Ｂに示された支持ベース態様の支持ベース２０は、模式的に示すためのものであり、その他の各種の支持、固定装置、例えば吸盤装置、片持ち梁装置、ブラケット装置等であってもよい。
【００２５】
上述のように、本考案は下記の利点を有している。
１、   本考案に係る挟持装置は、対応する２つの横方向挟持部材を近接／離間する位置に変化させるように縦方向挟持部材の摺動により同時に駆動させることができるため、寸法の異なる物品を挟着することができる。
２、   本考案に係る挟持装置は、異なる態様の支持ベースと組み合わせることができ、異なる使用環境においても電子製品を挟着することができるため、使用上の利便性を高めることができる。
【００２６】
上述したものは、本考案の好ましい実施例に過ぎず、本考案の実施の範囲を限定するためのものではなく、本考案の明細書及び図面内容に基づいてなされた均等な変更および付加は、いずれも本考案の特許請求の範囲内に含まれるものとする。
【符号の説明】
【００２７】
１  挟持装置
１０  本体
１０１  前蓋部材
１０２  後蓋部材
１０２１  枢柱
１０２２  突リブ
１０３  第１の位置決め柱
１０４  第２の位置決め柱
１０５  第３の位置決め柱
１１  縦方向挟持部材
１１１  スライドレール
１１２  第１の斜め方向スライドレール
１１３  第２の斜め方向スライドレール
１１４  固定部
１２  第１の横方向挟持部材
１２１  第１の横方向スライドレール
１２２  第１の摺動部材
１２３  固定部
１３  第２の横方向挟持部材
１３１  第２の横方向スライドレール
１３２  第２の摺動部材
１４  固定スイッチ
１４１  バンプ
１５  保護部材
１６  端子挿入孔
２０  支持ベース
２１  枢接部材
【図１Ａ】
0003165646.tif 000003
【図１Ｂ】
0003165646.tif 000004
【図１Ｃ】
0003165646.tif 000005
【図２Ａ】
0003165646.tif 000006
【図２Ｂ】
0003165646.tif 000007
【図３Ａ】
0003165646.tif 000008
【図３Ｂ】
0003165646.tif 000009